(57)【要約】【課題】表示部の表示の視認性の低下を抑制しつつ、ブルーライトの影響を低減する。【解決手段】本発明の表示制御装置は、表示データの入力を受け付ける入力部と、前記入力された表示データに応じた画面を前記表示部に表示させる表示制御部と、を有し、前記表示制御部は、前記表示部に表示させる画面のうち、画像領域以外の領域を特定し、該特定した領域については、前記表示部からの特定の波長帯域の光の出力が低減されるように前記表示部に表示させる。【選択図】図３
2014160170.tif 000002
【特許請求の範囲】
【請求項１】
表示データの入力を受け付ける入力部と、
前記入力部に入力された表示データに応じた画面を表示部に表示させる表示制御部と、を有し、
前記表示制御部は、前記表示部に表示させる画面のうち、画像領域以外の領域を特定し、該特定した領域については、前記表示部からの特定の波長帯域の光の出力が低減されるように前記表示部に表示させることを特徴とする表示制御装置。
【請求項２】
表示データの入力を受け付ける入力部と、
前記入力部に入力された表示データに応じた画面を表示部に表示させる表示制御部と、を有し、
前記表示制御部は、前記表示部に表示させる画面のうち、特定の波長帯域の光に対応する色成分の値が所定の閾値以上である領域を特定し、該特定した領域については、前記表示部からの特定の波長帯域の光の出力が低減されるように前記表示部に表示させることを特徴とする表示制御装置。
【請求項３】
表示データの入力を受け付ける入力部と、
前記入力部に入力された表示データに応じた画面を表示部に表示させる表示制御部と、を有し、
前記表示制御部は、前記表示部に表示させる画面における特定の波長帯域の光に対応する色成分の値に応じて前記特定の波長帯域の光の出力の低減量を決定し、該決定した低減量だけ前記特定の波長帯域の光の出力が低減されるように前記画面を前記表示部に表示させることを特徴とする表示制御装置。
【請求項４】
表示データの入力を受け付ける入力部と、
前記入力部に入力された表示データに応じた画面を表示部に表示させる表示制御部と、
前記表示部の光源から出力される光の明るさを検出する光検出部と、を有し、
前記表示制御部は、前記光検出部により検出される光の明るさに応じて特定の波長帯域の光の出力の低減量を決定し、該決定した低減量だけ前記特定の波長帯域の光の出力が低減されるように前記画面を前記表示部に表示させることを特徴とする表示制御装置。
【請求項５】
表示データの入力を受け付ける入力部と、
前記入力部に入力された表示データに応じた画面を表示部に表示させる表示制御部と、を有し、
前記表示制御部は、前記表示部の表示状態に応じて、前記表示部からの特定の波長帯域の光の出力が低減されるように前記表示部に表示させるブルーライトカット処理のオン、オフを切り替えることを特徴とする表示制御装置。
【請求項６】
請求項５記載の表示制御装置において、
前記表示制御部は、前記表示部に実行結果を表示させるアプリケーションの種類に応じて、前記ブルーライトカット処理のオン、オフを切り替えることを特徴とする表示制御装置。
【請求項７】
表示部の表示を制御する表示制御装置の制御方法であって、
表示データの入力を受け付け、
前記入力された表示データに応じた画面を前記表示部に表示させ、
前記表示部に表示させる画面のうち、画像領域以外の領域を特定し、該特定した領域ついては、前記表示部からの特定の波長帯域の光の出力が低減されるように前記表示部に表示させることを特徴とする表示制御装置の制御方法。
【請求項８】
表示部と、
情報処理を行う処理部と、
前記処理部の処理結果に応じた画面を前記表示部に表示させる表示制御部と、を有し、
前記表示制御部は、前記表示部に表示させる画面のうち、画像領域以外の領域を特定し、該特定した領域については、前記表示部からの特定の波長帯域の光の出力が低減されるように前記表示部に表示させることを特徴とする情報機器。
【請求項９】
請求項８記載の情報機器において、
タッチ面の入力手段の接触または近接を検出するタッチセンサをさらに備え、
前記表示制御部は、前記タッチセンサを介した所定の操作の入力に応じて、前記特定の波長帯域の光の出力を低減させるように前記表示部に表示させる動作モードを有効とするか、無効とするかを切り替えることを特徴とする情報機器。
【請求項１０】
コンピュータに、
入力された表示データに応じた画面を表示部に表示させる処理と、
前記表示部に表示させる画面のうち、画像領域以外の領域を特定し、該特定した領域については、前記表示部からの特定の波長帯域の光の出力が低減されるように前記表示部に表示させる処理と、を実行させるプログラム。
【発明の詳細な説明】
【技術分野】
【０００１】
本発明は、表示部の表示を制御する表示制御装置とその制御方法、情報機器、および、プログラムに関する。
【背景技術】
【０００２】
パーソナルコンピュータ、携帯電話、スマートフォン、携帯型ゲーム機などの情報機器の多くは、表示部を有している。表示部としては、例えば、ＬＥＤ（Ｌｉｇｈｔ  Ｅｍｉｔｔｉｎｇ  Ｄｉｏｄｅ）をバックライトとする液晶パネルなどが用いられる（特許文献１（特開２００７−２６４６５９号公報）参照）。
【０００３】
上述したような表示部から出力される光には、ブルーライトと称され、紫外線の波長に近い、３８０ｎｍから４９５ｎｍ程度の波長を有する光が含まれている。近年、ブルーライトの影響で、目が疲れやすくなるおそれがあるという報告がなされている。
【０００４】
そこで、ブルーライトに対する対策として、ブルーライトをカットする特性を有するレンズを備えたメガネや、ブルーライトをカットする特性を有し、表示部の表示面に貼付されるフィルタなどが用いられることがある。
【先行技術文献】
【特許文献】
【０００５】
【特許文献１】特開２００７−２６４６５９号公報
【発明の概要】
【発明が解決しようとする課題】
【０００６】
ブルーライトに対する別の対策として、表示部の表示の色制御を行うことで、表示対象の画面をブルーライトの出力が低減されるように表示させる方法がある。しかし、この方法では、表示対象の画面全体が、黄色がかった色で表示されてしまい、視認性が低下する。そのため、ブルーライトの出力が低減されるように表示部に一律に表示させると、表示部の表示の視認性が低下し、利便性が悪いという課題がある。
【０００７】
本発明の目的は、表示部の表示の視認性の低下を抑制しつつ、ブルーライトの影響を低減することができる表示制御装置とその制御方法、情報機器、および、プログラムを提供することにある。
【課題を解決するための手段】
【０００８】
上記目的を達成するために本発明の一態様の表示制御装置は、
表示データの入力を受け付ける入力部と、
前記入力部に入力された表示データに応じた画面を表示部に表示させる表示制御部と、を有し、
前記表示制御部は、前記表示部に表示させる画面のうち、画像領域以外の領域を特定し、該特定した領域については、前記表示部からの特定の波長帯域の光の出力が低減されるように前記表示部に表示させる。
【０００９】
上記目的を達成するために本発明の別の態様の表示制御装置は、
表示データの入力を受け付ける入力部と、
前記入力部に入力された表示データに応じた画面を表示部に表示させる表示制御部と、を有し、
前記表示制御部は、前記表示部に表示させる画面のうち、特定の波長帯域の光に対応する色成分の値が所定の閾値以上である領域を特定し、該特定した領域については、前記表示部からの特定の波長帯域の光の出力が低減されるように前記表示部に表示させる。
【００１０】
上記目的を達成するために本発明のさらに別の態様の表示制御装置は、
表示データの入力を受け付ける入力部と、
前記入力部に入力された表示データに応じた画面を表示部に表示させる表示制御部と、を有し、
前記表示制御部は、前記表示部に表示させる画面における特定の波長帯域の光に対応する色成分の値に応じて前記特定の波長帯域の光の出力の低減量を決定し、該決定した低減量だけ前記特定の波長帯域の光の出力が低減されるように前記画面を前記表示部に表示させる。
【００１１】
上記目的を達成するために本発明のさらに別の態様の表示制御装置は、
表示データの入力を受け付ける入力部と、
前記入力部に入力された表示データに応じた画面を表示部に表示させる表示制御部と、
前記表示部の光源から出力される光の明るさを検出する光検出部と、を有し、
前記表示制御部は、前記光検出部により検出される光の明るさに応じて特定の波長帯域の光の出力の低減量を決定し、該決定した低減量だけ前記特定の波長帯域の光の出力が低減されるように前記画面を前記表示部に表示させる。
【００１２】
上記目的を達成するために本発明のさらに別の態様の表示制御装置は、
表示データの入力を受け付ける入力部と、
前記入力部に入力された表示データに応じた画面を表示部に表示させる表示制御部と、を有し、
前記表示制御部は、前記表示部の表示状態に応じて、前記表示部からの特定の波長帯域の光の出力が低減されるように前記表示部に表示させるブルーライトカット処理のオン、オフを切り替える。
【００１３】
上記目的を達成するために本発明の一態様の表示制御装置の制御方法は、
表示部の表示を制御する表示制御装置の制御方法であって、
表示データの入力を受け付け、
前記入力された表示データに応じた画面を前記表示部に表示させ、
前記表示部に表示させる画面のうち、画像領域以外の領域を特定し、該特定した領域については、前記表示部からの特定の波長帯域の光の出力が低減されるように前記表示部に表示させる。
【００１４】
上記目的を達成するために本発明の一態様の情報機器は、
表示部と、
情報処理を行う処理部と、
前記処理部の処理結果に応じた画面を前記表示部に表示させる表示制御部と、を有し、
前記表示制御部は、前記表示部に表示させる画面のうち、画像領域以外の領域を特定し、該特定した領域については、前記表示部からの特定の波長帯域の光の出力が低減されるように前記表示部に表示させる。
【００１５】
上記目的を達成するために本発明の一態様のプログラムは、
コンピュータに、
入力された表示データに応じた画面を表示部に表示させる処理と、
前記表示部に表示させる画面のうち、画像領域以外の領域を特定し、該特定した領域については、前記表示部からの特定の波長帯域の光の出力が低減されるように前記表示部に表示させる処理と、を実行させる。
【発明の効果】
【００１６】
本発明によれば、表示部の表示の視認性の低下を抑制しつつ、ブルーライトの影響を低減することができる。
【図面の簡単な説明】
【００１７】
【図１】本発明の第１の実施形態に係る表示制御装置の要部構成を示すブロック図である。
【図２】図１に示す表示制御装置が組み込まれた情報機器の要部構成を示すブロック図である。
【図３】図１に示す表示制御装置の動作の一例を示すフローチャートである。
【図４】図１に示す表示制御装置の動作を概念的に示す図である。
【図５】図１に示す表示制御装置の動作を概念的に示す図である。
【図６】図１に示す表示制御装置の動作を概念的に示す図である。
【図７】図１に示す表示制御装置の動作の他の一例を示すフローチャートである。
【図８】本発明の第２の実施形態に係る表示制御装置の要部構成を示すブロック図である。
【図９】図８に示す表示制御装置の動作の一例を示すフローチャートである。
【図１０】図８に示す表示制御装置の動作を概念的に示す図である。
【図１１】本発明の第２の実施形態に係る表示制御装置の要部構成の他の一例を示す図である。
【図１２】図１１に示す記憶部に記憶されるテーブルの構成の一例を示す図である。
【図１３】図１１に示す表示制御装置の動作の一例を示すフローチャートである。
【図１４】本発明の第３の実施形態に係る表示制御装置の要部構成を示すブロック図である。
【図１５】図１４に示す記憶部に記憶されるテーブルの構成の一例を示す図である。
【図１６】図１４に示す表示制御装置の動作の一例を示すフローチャートである。
【図１７】本発明の第４の実施形態に係る表示制御装置の要部構成を示すブロックである。
【図１８】図１７に示す記憶部に記憶されるテーブルの構成の一例を示す図である。
【図１９】図１７に示す表示制御装置の動作の一例を示すフローチャートである。
【図２０】本発明の第５の実施形態に係る表示制御装置の要部構成を示すブロック図である。
【図２１】本発明の第６の実施形態に係る表示制御装置の要部構成を示すブロック図である。
【図２２】図２１に示す記憶部に記憶されるテーブルの構成の一例を示す図である。
【図２３】図２１に示す表示制御装置の動作を示すフローチャートである。
【図２４】本発明の第７の実施形態に係る表示制御装置の要部構成を示すブロック図である。
【図２５】図２４に示す記憶部が記憶するテーブルの構成の一例を示す図である。
【図２６】図２４に示す表示制御装置の動作を示すフローチャートである。
【図２７】図２４に示す表示制御装置の動作を概念的に示す図である。
【図２８】本発明の第８の実施形態に係る表示制御装置の要部構成を示すブロック図である。
【図２９】図２８に示す表示制御装置の動作を示すフローチャートである。
【図３０】本発明の第９の実施形態に係る情報機器の要部構成を示すブロック図である。
【図３１】図３０に示す表示部の表示の遷移の一例を示す図である。
【図３２】図３０に示す表示部の表示の遷移の一例を示す図である。
【図３３】図３０に示す表示部の表示の遷移の一例を示す図である。
【発明を実施するための形態】
【００１８】
以下に、本発明を実施するための形態について図面を参照して説明する。
【００１９】
なお、本発明は主に、表示部の表示を制御する表示制御装置、および、この表示制御装置が組み込まれた情報機器に関するものである。情報機器の具体例としては、デスクトップ型、ノート型、あるいは、タブレット型のパーソナルコンピュータ、携帯電話、スマートフォン、携帯型ゲーム機、ＰＤＡ（Ｐｅｒｓｏｎａｌ  Ｄａｔａ  Ａｓｓｉｓｔａｎｃｅ）などがある。
【００２０】
（第１の実施形態）
図１は、本発明の第１の実施形態に係る表示制御装置１０の要部構成を示すブロック図である。
【００２１】
表示制御装置１０は、入力部１１と、表示制御部１２と、を有する。
【００２２】
入力部１１は、表示データの入力を受け付ける。
【００２３】
表示制御部１２は、例えば、ＬＥＤを光源とする液晶パネルなどである表示部１３の表示を制御する。具体的には、表示制御部１２は、入力部１１に入力された表示データに応じた画面を表示部１３に表示させる。ここで、表示制御部１２は、表示部１３に表示させる画面のうち、画像領域以外の領域を処理領域として特定し、特定した処理領域については、表示部１３からの特定の波長帯域の光（ブルーライトに相当する３８０ｎｍから４９５ｎｍまでの波長帯域の光）の出力が低減されるように表示部１３に表示させる。以下では、ブルーライトの出力が低減されるように表示部１３に表示させる処理をブルーライトカット処理と称する。なお、表示制御部１２は、例えば、表示部１３の表示の色制御を行うことで、ブルーライトカット処理を行う。
【００２４】
上述したように、表示制御装置１０は、情報機器に組み込まれて使用されるものである。このような情報機器の要部構成を図２に示す。なお、図２において、図１と同様の構成については同じ符号を付し、説明を省略する。
【００２５】
図２に示す情報機器１は、バス１５を介して接続された、表示制御部１２と、表示部１３と、ＣＰＵ（Ｃｅｎｔｒａｌ  Ｐｒｏｃｅｓｓｉｎｇ  Ｕｎｉｔ）１４と、を有する。ＣＰＵ１４は、処理部の一例である。
【００２６】
ＣＰＵ１４は、図２においては不図示の操作部を介してユーザから入力された操作などに応じて情報処理を行い、処理結果に応じた画面を示す表示データを表示制御部１２に出力する。
【００２７】
なお、図２においては、ＣＰＵ１４から表示データが直接、表示制御部１２に入力される例を示しており、入力部１１については記載を省略している。
【００２８】
次に、表示制御装置１０の動作について、表示制御部１２の動作を中心に説明する。
【００２９】
図３は、表示制御装置１０の動作を示すフローチャートである。
【００３０】
表示制御部１２は、表示対象の画面を示す表示データが入力部１１に入力されると、表示対象の画面に静止画や動画像などの画像が含まれるか否かを判定する（ステップＳ１０１）。
【００３１】
表示対象の画面に画像が含まれる場合には（ステップＳ１０１：Ｙｅｓ）、表示制御部１２は、表示対象の画面のうち、画像領域以外の領域を処理領域として特定する（ステップＳ１０２）。
【００３２】
表示対象の画面に画像が含まれない場合には（ステップＳ１０１：Ｎｏ）、表示制御部１２は、表示対象の画面全体を処理領域として特定する（ステップＳ１０３）。
【００３３】
次に、表示制御部１２は、特定した処理領域について、ブルーライトカット処理を行う（ステップＳ１０４）。具体的には、表示制御部１２は、表示対象の画面のうち、処理領域については、表示部１３からのブルーライトの出力が低減されるように表示部１３に表示させる。
【００３４】
図４〜図６は、表示制御装置１０の動作を概念的に説明するための図である。
【００３５】
図４（ａ）は、表示対象の画面の一例を示す図である。なお、以下では、ブルーライトの出力が低減されるように表示される領域には、右上がり対角線でハッチングを付すものとする。
【００３６】
表示対象の画面には、図４（ａ）に示すように、画像が含まれないものとする。この場合、表示制御部１２は、表示対象の画面全体を処理領域として特定し、処理領域についてブルーライトカット処理を行う。したがって、表示部１３は、図４（ｂ）に示すように、表示対象の画面全体をブルーライトの出力が低減されるように表示する。
【００３７】
図５（ａ）は、表示対象の画面の他の一例を示す図である。
【００３８】
表示対象の画面には、図５（ａ）に示すように、画像のみが含まれるものとする。この場合、表示制御部１２は、ブルーライトカット処理を行わない。したがって、表示部１３は、図５（ｂ）に示すように、表示データに示される画面をそのまま表示する。
【００３９】
図６（ａ）は、表示対象の画面の別の他の一例を示す図である。
【００４０】
表示対象の画面には、図６（ａ）に示すように、画像およびテキストが含まれているものとする。この場合、表示制御部１２は、表示対象の画面のうち、画像領域以外の領域を処理領域として特定し、処理領域についてブルーライトカット処理を行う。したがって、表示部１３は、図６（ｂ）に示すように、表示対象の画面のうち、画像領域以外の領域については、ブルーライトの出力が低減されるように表示する。
【００４１】
このように、本実施形態によれば、表示制御装置１０は、表示対象の画面のうち、画像領域以外の領域を処理領域として特定し、特定した処理領域については、表示部１３からのブルーライトの出力が低減されるように表示部１３に表示させる。
【００４２】
静止画や動画像などの画像は、色情報が重要である。そのような画像の色がブルーライトカット処理のために黄色がかった色で表示されたりすると視認性が大きく低下する。そのため、表示対象の画面のうち、画像領域以外の領域だけブルーライトが低減されて表示されるようにすることで、表示部１３の表示の視認性の低下を抑制しつつ、ブルーライトの影響を低減することができる。
【００４３】
なお、図３においては、一律に処理領域についてブルーライトカット処理を行う例を用いて説明したが、これに限られるものではない。図７は、表示制御装置１０の動作の他の一例を示すフローチャートである。なお、図７において、図３と同様の処理については同じ符号を付し、説明を省略する。
【００４４】
表示制御部１２は、入力部１１に表示データが入力されると、ブルーライトカット処理を行うことでブルーライトを低減させるブルーライトカットモードが有効であるか否かを判定する（ステップＳ１１１）。なお、ブルーライトカットモードを有効とするか、無効とするかの設定は、図２においては不図示の操作部を介して、ユーザが行う。
【００４５】
ブルーライトカットモードが無効である場合には（ステップＳ１１１：Ｎｏ）、表示制御部１２は、入力された表示データに示される画面をそのまま表示部１３に表示させる。
【００４６】
ブルーライトカットモードが有効である場合には（ステップＳ１１１：Ｙｅｓ）、表示制御部１２は、ステップＳ１０１の処理に進む。
【００４７】
ステップＳＳ１０４においてブルーライトカット処理後の画面を表示部１３に表示させた後、表示制御部１２は、ブルーライトカットモードを無効とする旨が操作部を介して入力されたか否かを判定する（ステップＳ１１２）。
【００４８】
ブルーライトカットモードを無効とする旨が入力された場合には（ステップＳ１１２：Ｙｅｓ）、表示制御部１２は、ブルーライトカットモードを無効とし、処理を終了する。
【００４９】
ブルーライトカットモードを無効とする旨が入力されていない場合には（ステップＳ１１２：Ｎｏ）、表示制御部１２は、ステップＳ１０１の処理に戻る。
【００５０】
このように、ユーザがブルーライトカットモードを無効とする旨を設定した場合には、表示データに示される画面をそのまま表示することで、ユーザの意図に反して表示部１３の表示の色が変わってしまうことがなくなる。また、処理領域の特定などを行う必要がなくなるため、処理負荷を低減させることができる。
【００５１】
（第２の実施形態）
図８は、本発明の第２の実施形態に係る表示制御装置２０の要部構成を示すブロック図である。なお、図８において、図１と同様の構成については同じ符号を付し、説明を省略する。
【００５２】
本実施形態に係る表示制御装置２０は、第１の実施形態に係る表示制御装置１０と比較して、表示制御部１２を表示制御部２１に変更した点が異なる。
【００５３】
表示制御部２１は、表示対象の画面のうち、ブルーライトに対応する色成分の値が所定の閾値以上の領域を処理領域として特定し、特定した処理領域についてブルーライトカット処理を行う。すなわち、表示制御部２１は、表示対象の画面のうち、ブルーライトに対応する色成分の値が所定の閾値以上の領域についてはブルーライトが低減されるように表示部１３に表示させ、ブルーライトに対応する色成分の値が所定の閾値未満の領域についてはそのまま表示させる。
【００５４】
次に、表示制御装置２０の動作について、表示制御部２１の動作を中心に説明する。
【００５５】
図９は、表示制御装置２０の動作を示すフローチャートである。
【００５６】
表示制御部２１は、入力部１１に表示データが入力されると、表示対象の画面を解析し（ステップＳ２０１）、ブルーライトに対応する色成分の値が所定の閾値以上の領域を処理領域として特定する（ステップＳ２０２）。
【００５７】
次に、表示制御部２１は、表示対象の画面のうち、特定した処理領域についてブルーライトカット処理を行う（ステップＳ２０３）。
【００５８】
図１０は、表示制御装置２０の動作を概念的に説明するための図である。
【００５９】
図１０（ａ）は、表示対象の画面の一例を示す図である。
【００６０】
表示対象の画面には、図１０（ａ）に示すように、ブルーライトに対応する色成分の値が所定の閾値以上である領域２２，２３が含まれるものとする。この場合、表示制御部２１は、領域２２，２３を処理領域として特定し、ブルーライトカット処理を行う。したがって、表示部１３は、図１０（ｂ）に示すように、表示対象の画面のうち、領域２２，２３については、ブルーライトの出力が低減されるように表示する。
【００６１】
このように、本実施形態によれば、表示制御装置２０は、表示対象の画面のうち、ブルーライトに対応する色成分の値が所定の閾値以上である領域を処理領域として特定し、ブルーライトカット処理を行う。
【００６２】
ブルーライトに対応する色成分の値が所定の閾値以上の領域だけブルーライトカット処理を行うことで、表示部１３の表示の視認性の低下を抑制しつつ、ブルーライトの影響を低減することができる。
【００６３】
なお、本実施形態においては、表示制御部２１は、処理領域におけるブルーライトに対応する色成分の値については考慮することなくブルーライトカット処理を行う例を用いて説明したが、これに限られるものではない。
【００６４】
図１１は、本実施形態に係る表示制御装置の要部構成の他の一例を示す図である。
【００６５】
図１１に示す表示制御装置２０ａは、図８に示す表示制御装置２０と比較して、記憶部２２を追加した点と、表示制御部２１を表示制御部２１ａに変更した点と、が異なる。
【００６６】
記憶部２２は、図１２に示すテーブル２２１を記憶している。
【００６７】
図１２に示すように、テーブル２２１においては、ブルーライトに対応する色成分の値と、ブルーライトの低減量と、が対応付けられている。なお、図１２においては、ａａ＞ｂｂ＞ｃｃ＞ｄｄ＞ｅｅ＞ｆｆの関係にあるものとする。したがって、テーブル２２１においては、ブルーライトに対応する色成分の値が大きいほど、ブルーライトの低減量は大きくなっている。
【００６８】
表示制御部２１ａは、表示対象の画面のうち、ブルーライトに対応する色成分の値が所定の閾値以上である領域を処理領域として特定する。さらに、表示制御部２１ａは、処理領域におけるブルーライトに対応する色成分の値に応じて、その処理領域におけるブルーライトの低減量を決定し、決定したブルーライトの低減量に基づいてブルーライトカット処理を行う。
【００６９】
次に、表示制御装置２０ａの動作について説明する。
【００７０】
図１３は、表示制御装置２０の動作を示すフローチャートである。なお、図１３において、図９と同様の処理については同じ符号を付し、説明を省略する。
【００７１】
処理領域を特定すると（ステップＳ２０２）、表示制御部２１ａは、記憶部２２に記憶されているテーブルを参照し、その処理領域におけるブルーライトに対応する色成分の値に対応するブルーライトの低減量を決定する（ステップＳ２１１）。なお、表示制御部２１ａは、処理領域が複数ある場合には、処理領域ごとにブルーライトの低減量を決定する。
【００７２】
次に、表示制御部２１ａは、決定したブルーライトの低減量に基づいてブルーライトカット処理を行う（ステップＳ２１２）。すなわち、表示制御部２１ａは、処理領域について決定したブルーライトの低減量だけブルーライトの出力が低減されるように、その処理領域についてブルーライトカット処理を行う。
【００７３】
このように、処理領域におけるブルーライトに対応する色成分の値に応じてブルーライトの低減量を決定することで、表示部の表示の視認性の低下を抑制しつつ、ブルーライトの影響をより確実に低減することができる。
【００７４】
なお、図９あるいは図１３に示すフローにおいて、ステップＳ２０１の処理に進む前に、図７のステップＳ１１１におけるブルーライトカットモードが有効であるか否かの判定を行い、また、ブルーライトカット処理後に、ステップＳ１１２におけるブルーライトカットモードを無効にする旨の入力の有無の判定を行うようにしてもよい。
【００７５】
（第３の実施形態）
図１４は、本発明の第３の実施形態に係る表示制御装置３０の要部構成を示すブロック図である。なお、図１４において、図１と同様の構成については同じ符号を付し、説明を省略する。
【００７６】
本実施形態に係る表示制御装置３０は、第１の実施形態に係る表示制御装置１０と比較して、記憶部３１を追加した点と、表示制御部１２を表示制御部３２に変更した点と、が異なる。
【００７７】
記憶部３１は、図１５に示すテーブル３１１を記憶している。
【００７８】
図１５に示すように、テーブル３１１においては、表示対象の画面におけるブルーライトに対応する色成分の値の総量と、ブルーライトの低減量と、が対応付けられている。なお、図１５においては、ａａ＞ｂｂ＞ｃｃ＞ｄｄ＞ｅｅ＞ｆｆの関係にあるものとする。したがって、テーブル３１１においては、ブルーライトに対応する色成分の値の総量が大きいほど、ブルーライトの低減量は大きくなっている。
【００７９】
表示制御部３２は、表示対象の画面におけるブルーライトに対応する色成分の値の総量を求め、求めた総量に応じて、ブルーライトの低減量を決定し、決定したブルーライトの低減量に基づいてブルーライトカット処理を行う。
【００８０】
次に、表示制御装置３０の動作について説明する。
【００８１】
図１６は、表示制御装置３０の動作を示すフローチャートである。
【００８２】
入力部１１に表示データが入力されると、表示制御部３２は、表示対象の画面におけるブルーライトに対応する色成分の値の総量を求める（ステップＳ３０１）。
【００８３】
次に、表示制御部３２は、記憶部３１に記憶されているテーブルを参照し、求めたブルーライトに対応する色成分の値の総量に対応するブルーライトの低減量を決定する（ステップＳ３０２）。
【００８４】
次に、表示制御部３２は、決定したブルーライトの低減量に基づいてブルーライトカット処理を行う（ステップＳ３０３）。すなわち、表示制御部３２は、表示対象の画面全体を、決定した低減量だけブルーライトの出力が低減されるように表示部１３に表示させる。ここで、ブルーライトの低減量が５０％であったとすると、表示制御部３２は、ブルーライトカット処理の前後でブルーライトの出力が５０％低減されるように画面を表示部１３に表示させる。
【００８５】
このように、本実施形態によれば、表示制御装置３０は、表示対象の画面におけるブルーライトに対応する色成分の値の総量に応じて、ブルーライトの低減量を決定し、決定した低減量に基づいてブルーライトカット処理を行う。
【００８６】
そのため、ブルーライトの影響をより確実に低減することができる。また、必要以上に画面の色が変更されてしまうことが無くなり、表示部１３の表示の視認性の低下を抑制することができる。
【００８７】
なお、図１６に示すフローにおいて、ステップＳ３０１の処理に進む前に、図７のステップＳ１１１におけるブルーライトカットモードが有効であるか否かの判定を行い、また、ブルーライトカット処理後に、ステップＳ１１２におけるブルーライトカットモードを無効にする旨の入力の有無の判定を行うようにしてもよい。
【００８８】
（第４の実施形態）
図１７は、本発明の第４の実施形態に係る表示制御装置４０の要部構成を示すブロック図である。なお、図１７において、図１と同様の構成については同じ符号を付し、説明を省略する。
【００８９】
本実施形態に係る表示制御装置４０は、第１の実施形態に係る表示制御装置１０と比較して、光検出部４１および記憶部４２を追加した点と、表示制御部１２を表示制御部４３に変更した点と、が異なる。
【００９０】
光検出部４１は、図１７においては不図示の表示部１３の光源から出力される光の明るさを検出し、検出結果を表示制御部４３に出力する。
【００９１】
記憶部４２は、図１８に示すテーブル４２１を記憶している。
【００９２】
図１８に示すように、テーブル４２１においては、表示部１３の光源から出力される光の明るさと、ブルーライトの低減量と、が対応付けられている。なお、図１８においては、ａａ＞ｂｂ＞ｃｃ＞ｄｄ＞ｅｅ＞ｆｆの関係にあるものとする。したがって、テーブル４２１においては、表示部１３の光源から出力される光の明るさが大きいほど、ブルーライトの低減量は大きくなっている。
【００９３】
表示制御部４３は、光検出部４１の検出結果に応じてブルーライトの低減量を決定し、決定したブルーライトの低減量に基づいてブルーライトカット処理を行う。
【００９４】
次に、表示制御装置４０の動作について説明する。
【００９５】
図１９は、表示制御装置４０の動作を示すフローチャートである。
【００９６】
入力部１１に表示対象の画面を示す表示データが入力されると、表示制御部４３は、光検出部４１を用いて、表示部１３の光源から出力される光の明るさを検出する（ステップＳ４０１）。
【００９７】
次に、表示制御部４３は、記憶部４２に記憶されているテーブルを参照し、検出した明るさに対応するブルーライトの低減量を決定する（ステップＳ４０２）。
【００９８】
次に、表示制御部４３は、決定したブルーライトの低減量に基づいてブルーライトカット処理を行う（ステップＳ３０３）。すなわち、表示制御部４３は、表示対象の画面全体を、決定した低減量だけブルーライトの出力が低減されるように表示部１３に表示させる。ここで、ブルーライトの低減量が５０％であったとすると、表示制御部４３は、ブルーライトカット処理の前後でブルーライトの出力が５０％低減されるように表示部１３に表示させる。
【００９９】
このように、本実施形態によれば、表示制御装置４０は、表示部１３の光源から出力される光の明るさに応じて、ブルーライトの低減量を決定し、決定した低減量に基づいてブルーライトカット処理を行う。
【０１００】
一般に、表示部１３の光源から出力される光の明るさが大きいと、出力されるブルーライトの量も多くなる。そのため、表示部１３の光源から出力される光の明るさに応じてブルーライトの低減量を制御することで、ブルーライトの影響をより確実に低減することができる。
【０１０１】
なお、図１９に示すフローにおいて、ステップＳ４０１の処理に進む前に、図７のステップＳ１１１におけるブルーライトカットモードが有効であるか否かの判定を行い、また、ブルーライトカット処理後に、ステップＳ１１２におけるブルーライトカットモードを無効にする旨の入力の有無の判定を行うようにしてもよい。
【０１０２】
（第５の実施形態）
図２０は、本発明の第５の実施形態に係る表示制御装置５０の要部構成を示すブロック図である。なお、図２０において、図１と同様の構成については同じ符号を付し、説明を省略する。
【０１０３】
本実施形態に係る表示制御装置５０は、第１の実施形態に係る表示制御装置１０と比較して、表示制御部１２を表示制御部５１に変更した点と、を有する。
【０１０４】
表示制御部５１は、第１から第４の実施形態に係る表示制御装置における表示制御部のいずれかと同様の処理により、ブルーライトカット処理を行うことが可能である。ここで、表示制御部５１は、ブルーライトカットモードが有効である場合にも、表示部１３の表示状態によっては、ブルーライトカット処理を行わず、表示データに示される画面をそのまま表示部１３に表示させる。すなわち、表示制御部５１は、表示部１３の表示状態に応じて、ブルーライトカット処理のオン、オフが切り替え可能である。
【０１０５】
このように、本実施形態によれば、表示制御装置５０は、表示部１３の表示状態に応じて、ブルーライトカット処理のオン、オフが切り替え可能である。
【０１０６】
表示部１３の表示状態が、例えば、カメラ撮影を行うためのアプリケーションの実行結果に応じた画面を表示する状態であるような場合には、表示部１３の表示の色が変更されないように、ブルーライトカット処理を行わないことが望ましい。そのため、表示部１３の表示状態に応じて、ブルーライトカット処理のオン、オフを切り替えることで、ユーザがブルーライトカットモードを無効とする設定を行わなくても、ユーザの意図に反して表示部１３の表示の色が変わってしまう可能性を低減することができる。また、ブルーライトカット処理をオフとする場合には、処理領域の特定などを行う必要がなくなるため、処理負荷を低減させることができる。
【０１０７】
（第６の実施形態）
図２１は、本発明の第６の実施形態に係る表示制御装置６０の要部構成を示すブロック図である。なお、図２１おいて、図２０と同様の構成については同じ符号を付し、説明を省略する。
【０１０８】
本実施形態に係る表示制御装置６０は、第５の実施形態に係る表示制御装置５０と比較して、記憶部６１を追加した点と、表示制御部５１を表示制御部５１ａに変更した点と、が異なる。
【０１０９】
記憶部６１は、図２２に示すテーブル６１１を記憶する。
【０１１０】
図２２に示すように、テーブル６１１には、表示制御装置６０が組み込まれた情報機器のＣＰＵが実行可能なアプリケーションのうち、特定のアプリケーション（アプリケーション名）が登録されている。以下では、テーブル６１１に登録されているアプリケーションを、登録アプリケーションと称する。なお、登録アプリケーションは、例えば、ユーザが指定したアプリケーションである。
【０１１１】
表示制御部５１ａは、表示制御部５１を同様に、ブルーライトカットモードが有効であっても、ブルーライトカット処理のオン、オフが切り替え可能である。
【０１１２】
次に、表示制御装置６０の動作について説明する。
【０１１３】
図２３は、表示制御装置６０の動作を示すフローチャートである。なお、図２３においては、表示制御部５１ａが如何にして、ブルーライトカット処理のオン、オフを切り替えるかについて説明する。また、図２３において、図７と同様の処理については同じ符号を付し、説明を省略する。
【０１１４】
また、一般に、ＣＰＵは同時に複数のアプリケーションを実行可能であり、実行中のアプリケーションのうち、一部のアプリケーションの実行結果に応じた画面の表示データを出力する。以下では、実行結果が表示されるアプリケーションを、アクティブなアプリケーションと称する。
【０１１５】
表示制御部５１ａは、入力部１１に表示データが入力されると、ブルーライトカットモードが有効であるか否かを判定する（ステップＳ１１１）。
【０１１６】
ブルーライトカットモードが無効である場合には（ステップＳ１１１：Ｎｏ）、表示制御部５１ａは、入力された表示データに示される画面をそのまま表示部１３に表示させる。
【０１１７】
ブルーライトカットモードが有効である場合には（ステップＳ１１１：Ｙｅｓ）、表示制御部５１ａは、記憶部６１に記憶されているテーブルを参照し、実行結果が表示されるアプリケーション（アクティブなアプリケーション）が登録アプリケーションであるか否かを判定する（ステップＳ６０１）。すなわち、表示制御部５１ａは、表示部１３の表示状態が、登録アプリケーションの実行結果に応じた画面を表示する状態であるか否かを判定する。なお、アクティブなアプリケーションは、例えば、ＣＰＵ６１から表示制御部５１ａに通知される。
【０１１８】
アクティブなアプリケーションが登録アプリケーションでない場合には（ステップＳ６０１：Ｎｏ）、表示制御部５１ａは、ブルーライトカット処理をオンとする（ステップＳ６０３）。すなわち、表示制御部５１ａは、ブルーライトカット処理を行う。その後、表示制御部５１ａは、ステップＳ１１２の処理に進む。
【０１１９】
一方、アクティブなアプリケーションが登録アプリケーションである場合には（ステップＳ６０３：Ｙｅｓ）、表示制御部５１ａは、ブルーライトカット処理をオフとする（ステップＳ６０３）。すなわち、表示制御部５１ａは、入力された表示データに示される画面をそのまま表示部１３に表示させる。その後、表示制御部５１ａは、ステップＳ１１２の処理に進む。
【０１２０】
ステップＳ１１２において、ブルーライトカットモードを無効とする旨が入力されていない場合には（ステップＳ１１２：Ｎｏ）、表示制御部５１ａは、ステップＳ６０１の処理に戻る。
【０１２１】
このように、本実施形態によれば、表示制御装置６０は、アクティブなアプリケーションが登録アプリケーションであるか否かに応じて、ブルーライトカット処理のオン、オフを切り替える。
【０１２２】
アプリケーションの種類によっては、ブルーライトカット処理を行うことをユーザが所望しない場合がある。例えば、ＴＶ閲覧アプリケーション、動画閲覧アプリケーション、写真閲覧アプリケーションなどの処理結果に応じた画面を表示部１３に表示する状態では、ブルーライトカット処理が行われることで表示部１３の表示の色が変更されることをユーザが望まない可能性が高い。そこで、アクティブなアプリケーションが登録アプリケーションであるか否かに応じて、ブルーライトカット処理のオン、オフを切り替えることで、ブルーライトカットモードが有効であっても、ユーザの意図に反して表示部１３の表示の色が変わってしまう可能性を低減することができる。
【０１２３】
なお、本実施形態においては、アクティブなアプリケーションが登録アプリケーションである場合に、ブルーライトカットモードをオフにする例を用いて説明したが、アクティブなアプリケーションが登録アプリケーションでない場合に、ブルーライトカットモードをオフにするようにしてもよい。
【０１２４】
（第７の実施形態）
図２４は、本発明の第７の実施形態に係る表示制御装置７０の要部構成を示すブロック図である。なお、図２４において、図２０と同様の構成については同じ符号を付し、説明を省略する。
【０１２５】
本実施形態に係る表示制御装置７０は、第５の実施形態に係る表示制御装置５０と比較して、記憶部７１を追加した点と、表示制御部５１を表示制御部５１ｂに変更した点と、が異なる。
【０１２６】
記憶部７１は、図２５に示すテーブル７１１を記憶する。
【０１２７】
図２５に示すように、テーブル７１１には、特定の画像が登録されている。以下では、テーブル７１１に登録されている画像を登録画像と称する。なお、登録画像は、例えば、ユーザが指定した画像であり、例えば、カラーバーコードやデザインサンプルなどのように、色情報が重要な画像が登録される。
【０１２８】
表示制御部５１ｂは、表示制御部５１と同様に、ブルーライトカットモードが有効であっても、ブルーライトカット処理のオン、オフが切り替え可能である。
【０１２９】
次に、表示制御装置７０の動作について説明する。
【０１３０】
図２６は、表示制御装置７０の動作を示すフローチャートである。なお、図２６においては、表示制御部５１ｂが如何にして、ブルーライトカット処理のオン、オフを切り替えるかについて説明する。また、図２６において、図７と同様の処理については同じ符号を付し、説明を省略する。
【０１３１】
また、図２６においては、表示対象の画面の画面に画像が含まれるものとする。
【０１３２】
表示制御部５１ｂは、入力部１１に表示データが入力されると、ブルーライトカットモードが有効であるか否かを判定する（ステップＳ１１１）。
【０１３３】
ブルーライトカットモードが無効である場合には（ステップＳ１１１：Ｎｏ）、表示制御部５１ｂは、入力された表示データに示される画面をそのまま表示部１３に表示させる。
【０１３４】
ブルーライトカットモードが有効である場合には（ステップＳ１１１：Ｙｅｓ）、表示制御部５１ｂは、表示対象の画面に画像が含まれるか否かを判定する。なお、上述したように、表示対象の画面に画像が含まれている。
【０１３５】
次に、表示制御部５１ｂは、記憶部７１に記憶されているテーブルを参照し、表示対象の画面に含まれる画像が登録画像と一致するか否かを判定する（ステップＳ７０１）。すなわち、表示制御部５１ｂは、表示部１３の表示状態が、登録画像を含む画面を表示する状態であるか否かを判定する。
【０１３６】
表示対象の画面に含まれる画像が登録画像と一致しない場合には（ステップＳ７０１：Ｎｏ）、表示制御部５１ｂは、ブルーライトカット処理をオンとする（ステップＳ７０２）。すなわち、表示制御部５１ｂは、ブルーライトカット処理を行う。その後、表示制御部５１ｂは、ステップＳ１１２の処理に進む。
【０１３７】
一方、表示対象の画面に含まれる画像が登録画像と一致する場合には（ステップＳ７０１：Ｙｅｓ）、表示制御部５１ｂは、ブルーライトカット処理をオフとする（ステップＳ７０３）。すなわち、表示制御部５１ｂは、入力された表示データに示される画面をそのまま表示部１３に表示させる。その後、表示制御部５１ｂは、ステップＳ１１２の処理に進む。
【０１３８】
ステップＳ１１２において、ブルーライトカットモードを無効とする旨が入力されていない場合には（ステップＳ１１２：Ｎｏ）、表示制御部５１ｂは、ステップＳ７０１の処理に戻る。
【０１３９】
このように、本実施形態によれば、表示制御装置７０は、表示対象の画面に含まれる画像が登録画像と一致するか否かに応じて、ブルーライトカット処理のオン、オフを切り替える。
【０１４０】
そのため、色情報が重要な画像などを含む画面を表示する状態では、ブルーライトカット処理をオフにすることで、ユーザの意図に反して色情報が重要な画像の表示の色が変わってしまう可能性を低減することができる。
【０１４１】
なお、本実施形態においては、表示対象の画面に含まれる画像が登録画像と一致するか否かに応じて、表示対象の画面全体について、ブルーライトカット処理のオン、オフを切り替えていたがこれに限られるものではない。
【０１４２】
図２７は、表示制御装置７０の動作の他の一例を概念的に示す図である。
【０１４３】
図２７（ａ）は、表示対象の画面の一例を示す図である。
【０１４４】
表示対象の画面には、図２７（ａ）に示すように、２つの画像（画像７２，７３）が含まれるものとする。また、画像７２は、登録画像と一致せず、画像７３は、登録画像と一致するものとする。
【０１４５】
表示制御部５１ｂは、画像７２，７３それぞれについて、登録画像と一致するか否かを判定する。上述したように、画像７２は、登録画像と一致せず、画像７３は、登録画像と一致する。そのため、表示制御部５１ｂは、画像７３の画像領域についてはブルーライトカット処理を行わず、画像７２の画像領域についてはブルーライトカット処理を行う。したがって、表示部１３は、図２７（ｂ）に示すように、表示対象の画面のうち、画像７２の画像領域については、ブルーライトの出力が低減されるように表示する。
【０１４６】
このように、表示対象の画面に含まれる画像ごとに、ブルーライトカット処理のオン、オフを切り替えることで、色情報が重要な画像はそのまま表示することができるとともに、ブルーライトの影響をより低減することができる。
【０１４７】
（第８の実施形態）
図２８は、本発明の第８の実施形態に係る表示制御装置８０の要部構成を示すブロック図である。なお、図２８において、図２０と同様の構成については同じ符号を付し、説明を省略する。
【０１４８】
本実施形態の表示制御装置８０は、第５の実施形態に係る表示制御装置５０と比較して、向き検出部８１を追加した点と、表示制御部５１を表示制御部５１ｃに変更した点と、が異なる。
【０１４９】
向き検出部８１は、表示部１３の向き（縦向きであるか、横向きであるか）を検出し、検出結果を表示制御部５１ｃに出力する。なお、近年の情報機器の多くには、情報機器の向き（縦向きであるか、横向きであるか）を検出するセンサなどを備えたものが多い。向き検出部８１としては、そのようなセンサを用いることができる。
【０１５０】
表示制御部５１ｃは、表示制御部５１を同様に、ブルーライトカットモードが有効であっても、ブルーライトカット処理のオン、オフが切り替え可能である。
【０１５１】
次に、表示制御装置８０の動作について説明する。
【０１５２】
図２９は、表示制御装置８０の動作を示すフローチャートである。なお、図２９においては、表示制御部５１ｃが如何にして、ブルーライトカット処理のオン、オフを切り替えるかについて説明し、処理領域の特定やブルーライトカット処理などについては説明を省略する。また、図２９において、図７と同様の処理については同じ符号を付し、説明を省略する。
【０１５３】
表示制御部５１ｃは、入力部１１に表示データが入力されると、ブルーライトカットモードが有効であるか否かを判定する（ステップＳ１１１）。
【０１５４】
ブルーライトカットモードが無効である場合には（ステップＳ１１１：Ｎｏ）、表示制御部５１ｃは、入力された表示データに示される画面をそのまま表示部１３に表示させる。
【０１５５】
ブルーライトカットモードが有効である場合には（ステップＳ１１１：Ｙｅｓ）、表示制御部５１ｃは、向き検出部７１を用いて表示部１３の向き（縦向きであるか、横向きであるか）を検出する（ステップＳ８０１）。
【０１５６】
次に、表示制御部５１ｃは、表示部１３の向きが横向きであるか否かを判定する（ステップＳ８０２）。すなわち、表示制御部５１ｃは、表示部１３の表示状態が、横向きで表示する状態であるか否かを判定する。
【０１５７】
表示部１３が横向きでない場合には（ステップＳ８０２：Ｎｏ）、表示制御部５１ｃは、ブルーライトカット処理をオンとする（ステップＳ７０２）。すなわち、表示制御部５１ｃは、ブルーライトカット処理を行う。その後、表示制御部５１ｂは、ステップＳ１１２の処理に進む。
【０１５８】
一方、表示部１３が横向きである場合には（ステップＳ８０２：Ｙｅｓ）、表示制御部５１ｃは、ブルーライトカット処理をオフとする（ステップＳ７０３）。すなわち、表示制御部５１ｂは、入力された表示データに示される画面をそのまま表示部１３に表示させる。その後、表示制御部５１ａは、ステップＳ１１２の処理に進む。
【０１５９】
ステップＳ１１２において、ブルーライトカットモードを無効とする旨が入力されていない場合には（ステップＳ１１２：Ｎｏ）、表示制御部５１ｃは、ステップＳ８０１の処理に戻る。
【０１６０】
このように、本実施形態によれば、表示制御装置８０は、表示部１３の向きに応じて、ブルーライトカット処理のオン、オフを切り替える。
【０１６１】
表示部１３が横向きで表示する状態では、例えば、ＴＶ閲覧アプリケーション、動画閲覧アプリケーション、写真閲覧アプリケーションなどを用いて画像が閲覧されたり、カメラアプリケーションを用いて撮影が行われたりしている可能性が高い。このような状態では、ユーザは、ブルーライトカット処理が行われることで表示部１３の表示の色が変わることを望まないことが多い。そこで、表示部１３が横向きで表示する状態では、ブルーライトカットモードが有効であっても、ブルーライトカット処理をオフにすることで、ユーザの意図に反して表示部１３の表示の色が変わってしまう可能性を低減することができる。
【０１６２】
（第９の実施形態）
図３０は、本発明の第９の実施形態に係る情報機器９０の要部構成を示すブロック図である。なお、図３０において、図１または図２と同様の構成については同じ符号を付し、説明を省略する。
【０１６３】
本実施形態に係る情報機器９０は、上述した第１から第８の実施形態に係る表示制御装置のいずれかが組み込まれたものである。
【０１６４】
情報機器９０は、表示部１３と、ＣＰＵ１４と、タッチセンサ９１と、表示制御部９２と、を有する。
【０１６５】
タッチセンサ９１は、表示部１３の表示面に重ね合わせて配置されたタッチ面への、指やスタイラスペンなどの接触または近接を検出し、検出結果に応じた信号を出力する。タッチセンサ９１および表示部１３は、いわゆるタッチパネルを構成する。
【０１６６】
表示制御部９２は、第１から第８の実施形態に係る表示制御装置のいずれかが有する表示制御部に相当するものである。また、表示制御部９２は、タッチパネルを介した所定の操作入力に応じて、ブルーライトカットモードの有効、無効を切り替える。
【０１６７】
次に、情報機器９０の動作について説明する。
【０１６８】
図３１は、タッチパネルを介した操作入力を用いたブルーライトカットモードの無効から有効への切り替え時の表示部１３の表示の遷移の一例を示す図である。
【０１６９】
ブルーライトカットモードが無効に設定され、所定の画面（図３１においては、図の簡略化のため、記載を省略）が表示部１３に表示されている状態で、図３１（ａ）に示すように、タッチパネルの所定の領域、例えば、右上の領域を長押しする操作が入力されたとする。
【０１７０】
タッチパネルの所定の領域を長押しする操作が入力されたことを検出すると、表示制御部９２は、図３１（ｂ）に示すように、フィルタの端部を示す画像を表示部１３に表示させる。
【０１７１】
フィルタの端部を示す画像がタッチパネルに表示された後、図３１（ｃ）に示すように、タッチ面を掃くように指を左下に向かってスライドさせる、いわゆるスワイプ操作が入力されたものとする。
【０１７２】
タッチ面を掃くように指を左下に向かってスライドさせるスワイプ操作が入力されると、表示制御部９２は、そのスワイプ操作における指の移動に対応して、フィルタが仮想的にタッチ面上に貼られるような画像を表示部１３に表示させる。フィルタが仮想的に貼られた面積が所定値以上になるなどすると、表示制御部９２は、ブルーライトカットモードを有効に設定する。
【０１７３】
図３２は、タッチパネルを介した操作入力を用いたブルーライトカットモードの有効から無効への切り替え時の表示部１３の表示の遷移の一例を示す図である。
【０１７４】
ブルーライトカットモードが有効に設定され、所定の画面（図３２においては、図の簡略化のため、記載を省略）が表示部１３に表示されている状態で、図３２（ａ）に示すように、タッチパネルの所定の領域、例えば、左下の領域を長押しする操作が入力されたとする。
【０１７５】
タッチパネルの所定の領域を長押しする操作が入力されたことを検出すると、表示制御部９２は、図３２（ｂ）に示すように、フィルタの端部を示す画像を表示部１３に表示させる。
【０１７６】
フィルタの端部を示す画像をタッチパネルに表示させた後、図３２（ｃ）に示すように、タッチ面を掃くように指を右上に向かってスライドさせる、スワイプ操作が入力されたものとする。
【０１７７】
タッチ面を掃くように指を右上に向かってスライドさせるスワイプ操作が入力されると、表示制御部９２は、そのスワイプ操作における指の移動に対応して、図３２（ｃ）に示すように、仮想的にタッチ面上に貼られたフィルタをめくるような画像を表示部１３に表示させる。仮想的に貼られたフィルタがめくられた面積が所定値以上になるなどすると、表示制御部９２は、ブルーライトカットモードを無効にする。
【０１７８】
図３３は、タッチパネルを介した操作入力を用いたブルーライトカットモードの有効から無効への切り替え時の表示部１３の表示の遷移の他の一例を示す図である。
【０１７９】
ブルーライトカットモードがオンに設定され、所定の画面（図３３においては、図の簡略化のため、記載を省略）が表示部１３に表示されている状態で、図３３（ａ）に示すように、タッチパネルの所定の領域、例えば、左下の領域をつまむような操作が入力されたとする。
【０１８０】
タッチパネルの所定の領域をつまむような操作が入力されたことを検出すると、表示制御部９２は、図３３（ｂ）に示すように、フィルタの端部を示す画像を表示部１３に表示させる。
【０１８１】
フィルタの端部を示す画像をタッチパネルに表示させた後、図３３（ｃ）に示すように、指を右上に向かってスライドさせる、スワイプ操作が入力されたものとする。
【０１８２】
タッチ面を掃くように指を右上に向かってスライドさせるスワイプ操作が入力されると、表示制御部９２は、そのスワイプ操作における指の移動に対応して、図３３（ｃ）に示すように、仮想的にタッチ面上に貼られたフィルタをめくるような画像を表示部１３に表示させる。仮想的に貼られたフィルタがめくられた面積が所定値以上になるなどすると、表示制御部９２は、ブルーライトカットモードを無効にする。
【０１８３】
なお、図３１から図３３においては、スワイプ操作に応じて、タッチ面上に仮想的にフィルタが貼られたり、仮想的にタッチ面上に貼られたフィルタがめくられたりする例を用いて説明したが、これに限られるものではない。例えば、フリック操作の入力に応じて、タッチ面上に仮想的にフィルタが貼られたり、仮想的にタッチ面上に貼られたフィルタがめくられたりするようにしてもよい。
【０１８４】
このように、本実施形態によれば、情報機器９０は、タッチパネルを有し、タッチパネルを介した所定の操作入力に応じて、ブルーライトカットモードのオン、オフを切り替える。
【０１８５】
そのため、ユーザにとっては直感的な操作でブルーライトカットモードのオン、オフを切り替えることができる。
【０１８６】
本発明に係る表示制御装置あるいは情報機器にて行われる方法は、コンピュータに実行させるためのプログラムに適用してもよい。また、そのプログラムを記憶媒体に格納することも可能であり、ネットワークを介して外部に提供することも可能である。
【０１８７】
上記の実施形態の一部または全部は、以下の付記のようにも記載されうるが、以下には限られない。
【０１８８】
（付記１）
表示データの入力を受け付ける入力部と、
前記入力部に入力された表示データに応じた画面を表示部に表示させる表示制御部と、を有し、
前記表示制御部は、前記表示部に表示させる画面のうち、画像領域以外の領域を特定し、該特定した領域については、前記表示部からの特定の波長帯域の光の出力が低減されるように前記表示部に表示させることを特徴とする表示制御装置。
【０１８９】
（付記２）
表示データの入力を受け付ける入力部と、
前記入力部に入力された表示データに応じた画面を表示部に表示させる表示制御部と、を有し、
前記表示制御部は、前記表示部に表示させる画面のうち、特定の波長帯域の光に対応する色成分の値が所定の閾値以上である領域を特定し、該特定した領域については、前記表示部からの特定の波長帯域の光の出力が低減されるように前記表示部に表示させることを特徴とする表示制御装置。
【０１９０】
（付記３）
付記２記載の表示制御装置において、
前記表示制御部は、前記特定した領域における前記特定の波長帯域の光に対応する色成分の値に応じて前記特定の波長帯域の光の出力を低減させる低減量を決定し、前記特定した領域については、前記決定した低減量だけ前記特定の波長帯域の光の出力が低減されるように前記表示部に表示させることを特徴とする表示制御装置。
【０１９１】
（付記４）
表示データの入力を受け付ける入力部と、
前記入力部に入力された表示データに応じた画面を表示部に表示させる表示制御部と、を有し、
前記表示制御部は、前記表示部に表示させる画面における特定の波長帯域の光に対応する色成分の値に応じて前記特定の波長帯域の光の出力の低減量を決定し、該決定した低減量だけ前記特定の波長帯域の光の出力が低減されるように前記画面を前記表示部に表示させることを特徴とする表示制御装置。
【０１９２】
（付記５）
表示データの入力を受け付ける入力部と、
前記入力部に入力された表示データに応じた画面を表示部に表示させる表示制御部と、
前記表示部の光源から出力される光の明るさを検出する光検出部と、を有し、
前記表示制御部は、前記光検出部により検出される光の明るさに応じて特定の波長帯域の光の出力の低減量を決定し、該決定した低減量だけ前記特定の波長帯域の光の出力が低減されるように前記画面を前記表示部に表示させることを特徴とする表示制御装置。
【０１９３】
（付記６）
表示データの入力を受け付ける入力部と、
前記入力部に入力された表示データに応じた画面を表示部に表示させる表示制御部と、を有し、
前記表示制御部は、前記表示部の表示状態に応じて、前記表示部からの特定の波長帯域の光の出力が低減されるように前記表示部に表示させるブルーライトカット処理のオン、オフを切り替えることを特徴とする表示制御装置。
【０１９４】
（付記７）
付記６記載の表示制御装置において、
前記表示制御部は、前記表示部に実行結果を表示させるアプリケーションの種類に応じて、前記ブルーライトカット処理のオン、オフを切り替えることを特徴とする表示制御装置。
【０１９５】
（付記８）
付記７記載の表示制御装置において、
前記表示制御部は、前記表示部に実行結果を表示させるアプリケーションがユーザにより指定された特定のアプリケーションであるか否かに応じて、前記ブルーライトカット処理のオン、オフを切り替えることを特徴とする表示制御装置。
【０１９６】
（付記９）
付記６記載の表示制御装置において、
前記表示制御部は、前記表示部に表示させる画面に特定の画像が含まれているか否かに応じて、前記ブルーライトカット処理のオン、オフを切り替えることを特徴とする表示制御装置。
【０１９７】
（付記１０）
付記９記載の表示制御装置において、
前記特定の画像は、ユーザにより指定された画像であることを特徴とする表示制御装置。
【０１９８】
（付記１１）
付記６記載の表示制御装置において、
前記表示部の向きを検出する向き検出部をさらに有し、
前記表示制御部は、前記向き検出部により検出される前記表示部の向きに応じて前記ブルーライトカット処理のオン、オフを切り替えることを特徴とする表示制御装置。
【０１９９】
（付記１２）
表示部の表示を制御する表示制御装置の制御方法であって、
表示データの入力を受け付け、
前記入力された表示データに応じた画面を前記表示部に表示させ、
前記表示部に表示させる画面のうち、画像領域以外の領域を特定し、該特定した領域については、前記表示部からの特定の波長帯域の光の出力が低減されるように前記表示部に表示させることを特徴とする表示制御装置の制御方法。
【０２００】
（付記１３）
表示部と、
情報処理を行う処理部と、
前記処理部の処理結果に応じた画面を前記表示部に表示させる表示制御部と、を有し、
前記表示制御部は、前記表示部に表示させる画面のうち、画像領域以外の領域を特定し、該特定した領域については、前記表示部からの特定の波長帯域の光の出力が低減されるように前記表示部に表示させることを特徴とする情報機器。
【０２０１】
（付記１４）
表示部と、
情報処理を行う処理部と、
前記処理部の処理結果に応じた画面を前記表示部に表示させる表示制御部と、を有し、
前記表示制御部は、前記表示部に表示させる画面のうち、特定の波長帯域の光に対応する色成分の値が所定の閾値以上である領域を特定し、該特定した領域については、前記表示部からの特定の波長帯域の光の出力が低減されるように前記表示部に表示させることを特徴とする情報機器。
【０２０２】
（付記１５）
付記１４記載の情報機器において、
前記表示制御部は、前記特定した領域における前記特定の波長帯域の光に対応する色成分の値に応じて前記特定の波長帯域の光の出力を低減させる低減量を決定し、前記特定した領域については、前記決定した低減量だけ前記特定の波長帯域の光の出力が低減されるように前記表示部に表示させることを特徴とする情報機器。
【０２０３】
（付記１６）
表示部と、
情報処理を行う処理部と、
前記処理部の処理結果に応じた画面を前記表示部に表示させる表示制御部と、を有し、
前記表示制御部は、前記表示部に表示させる画面における特定の波長帯域の光に対応する色成分の値に応じて前記特定の波長帯域の光の出力の低減量を決定し、該決定した低減量だけ前記特定の波長帯域の光の出力が低減されるように前記画面を前記表示部に表示させることを特徴とする情報機器。
【０２０４】
（付記１７）
表示部と、
情報処理を行う処理部と、
前記処理部の処理結果に応じた画面を前記表示部に表示させる表示制御部と、
前記表示部の光源から出力される光の明るさを検出する光検出部と、を有し、
前記表示制御部は、前記光検出部により検出される光の明るさに応じて特定の波長帯域の光の出力の低減量を決定し、該決定した低減量だけ前記特定の波長帯域の光の出力が低減されるように前記画面を前記表示部に表示させることを特徴とする情報機器。
【０２０５】
（付記１８）
表示部と、
情報処理を行う処理部と、
前記処理部の処理結果に応じた画面を前記表示部に表示させる表示制御部と、を有し、
前記表示制御部は、前記表示部の表示状態に応じて、前記表示部からの特定の波長帯域の光の出力が低減されるように前記表示部に表示させるブルーライトカット処理のオン、オフを切り替えることを特徴とする情報機器。
【０２０６】
（付記１９）
付記１８記載の情報機器において、
前記表示制御部は、前記処理部の処理結果に応じて前記表示部に実行結果を表示させるアプリケーションの種類に応じて、前記ブルーライトカット処理のオン、オフを切り替えることを特徴とする情報機器。
【０２０７】
（付記２０）
付記１９記載の情報機器において、
前記表示制御部は、前記表示部に実行結果を表示させるアプリケーションがユーザにより指定された特定のアプリケーションであるか否かに応じて、前記ブルーライトカット処理のオン、オフを切り替えることを特徴とする情報機器。
【０２０８】
（付記２１）
付記１８記載の情報機器において、
前記表示制御部は、前記表示部に表示させる画面に特定の画像が含まれているか否かに応じて、前記ブルーライトカット処理のオン、オフを切り替えることを特徴とする情報機器。
【０２０９】
（付記２２）
付記２１記載の情報機器において、
前記特定の画像は、ユーザにより指定された画像であることを特徴とする情報機器。
【０２１０】
（付記２３）
付記１８記載の情報機器において、
前記表示部の向きを検出する向き検出部をさらに有し、
前記表示制御部は、前記向き検出部により検出される前記表示部の向きに応じて前記ブルーライトカット処理のオン、オフを切り替えることを特徴とする情報機器。
【０２１１】
（付記２４）
付記１３から２３のいずれか１つに記載の情報機器において、
タッチ面の入力手段の接触または近接を検出するタッチセンサをさらに備え、
前記表示制御部は、前記タッチセンサを介した所定の操作の入力に応じて、前記特定の波長帯域の光の出力を低減させるように前記表示部に表示させる動作モードを有効とするか、無効とするかを切り替えることを特徴とする情報機器。
【０２１２】
（付記２５）
付記２４記載の情報機器において、
前記所定の操作は、スワイプ操作、または、フリック操作であることを特徴とする情報機器。
【０２１３】
（付記２６）
コンピュータに、
入力された表示データに応じた画面を表示部に表示させる処理と、
前記表示部に表示させる画面のうち、画像領域以外の領域を特定し、該特定した領域については、前記表示部からの特定の波長帯域の光の出力が低減されるように前記表示部に表示させる処理と、を実行させるプログラム。
【符号の説明】
【０２１４】
１，９０    情報機器
１０，２０，３０，４０，５０，６０，７０，８０    表示制御装置
１１    入力部
１２，２１，２１ａ，３２，４３，５１，５１ａ，５１ｂ，５１ｃ，９２    表示制御部
１３    表示部
１４    ＣＰＵ
１５    バス
２２，３１，４２，６１，７１    記憶部
４１    光検出部
８１    向き検出部
９１    タッチセンサ
【図１】
2014160170.tif 000003
【図２】
2014160170.tif 000004
【図３】
2014160170.tif 000005
【図４】
2014160170.tif 000006
【図５】
2014160170.tif 000007
【図６】
2014160170.tif 000008
【図７】
2014160170.tif 000009
【図８】
2014160170.tif 000010
【図９】
2014160170.tif 000011
【図１０】
2014160170.tif 000012
【図１１】
2014160170.tif 000013
【図１２】
2014160170.tif 000014
【図１３】
2014160170.tif 000015
【図１４】
2014160170.tif 000016
【図１５】
2014160170.tif 000017
【図１６】
2014160170.tif 000018
【図１７】
2014160170.tif 000019
【図１８】
2014160170.tif 000020
【図１９】
2014160170.tif 000021
【図２０】
2014160170.tif 000022
【図２１】
2014160170.tif 000023
【図２２】
2014160170.tif 000024
【図２３】
2014160170.tif 000025
【図２４】
2014160170.tif 000026
【図２５】
2014160170.tif 000027
【図２６】
2014160170.tif 000028
【図２７】
2014160170.tif 000029
【図２８】
2014160170.tif 000030
【図２９】
2014160170.tif 000031
【図３０】
2014160170.tif 000032
【図３１】
2014160170.tif 000033
【図３２】
2014160170.tif 000034
【図３３】
2014160170.tif 000035